(57)【要約】  干渉信号成分の除去機能を備えた受信装置において、干渉信号伝送路の伝送路推定に要する処理時間の短縮化あるいは処理量（規模）の減縮化を図りつつ良好な干渉除去効果を確保すること。  受信信号をダウンコンバートしたアナログ信号をディジタル信号に変換するアナログ信号処理部と、アナログ信号処理部から出力されたディジタル信号を復調するディジタル信号復調部とを備えた受信装置において、ディジタル信号復調部の希望信号パラメータ推定部（２０２）は、希望信号に関する所定のパラメータの一つとして希望信号の伝送路推定値を出力する希望信号伝送路推定部（３０３）と、希望信号の伝送路推定値と既知信号とに基づいて希望信号のレプリカ信号を生成するレプリカ生成部（３０２）と、受信信号から希望信号のレプリカ信号を減算した減算出力を希望信号レプリカ除去信号として出力するレプリカ減算部（３０１）とを備える。【特許請求の範囲】
【請求項１】
Ｍ（Ｍは１以上の整数）多重信号を受信するＮ（Ｎは１以上の整数）個のアンテナからの各受信信号をそれぞれダウンコンバートしたアナログ信号をディジタル信号に変換するアナログ信号処理部と、該アナログ信号処理部から出力されたディジタル信号を復調するディジタル信号復調部と、を備えた受信装置において、
前記ディジタル信号復調部は、
前記ディジタル信号と先見情報である既知信号とに基づいて希望信号に関する所定のパラメータを推定する希望信号パラメータ推定部と、
前記希望信号パラメータ推定部の出力信号に基づいて干渉信号に関する所定のパラメータを推定する干渉信号パラメータ推定部と、
前記希望信号パラメータ推定部の出力および／または前記干渉信号パラメータ推定部の出力に基づいて前記受信信号に対して行った等化処理出力を復調データとして出力する等化器と、
を備え、
前記希望信号パラメータ推定部は、
前記希望信号に関する所定のパラメータの一つとして該希望信号の伝送路推定値を出力する希望信号伝送路推定部と、
前記希望信号の伝送路推定値と前記既知信号とに基づいて前記希望信号のレプリカ信号を生成するレプリカ生成部と、
前記受信信号から前記希望信号のレプリカ信号を減算した減算出力を希望信号レプリカ除去信号として出力するレプリカ減算部と、
を備えたことを特徴とする受信装置。
【請求項２】
前記希望信号パラメータ推定部は、前記干渉信号パラメータ推定部の出力をさらに用いて前記希望信号に関する所定のパラメータを推定することを特徴とする請求項１に記載の受信装置。
【請求項３】
前記ディジタル信号復調部は、前記既知信号と前記等化器から出力される判定値とがそれぞれ入力される第１の出力切替手段を備え、
前記第１の出力切替手段は、前記既知信号と前記判定値のいずれか一つを前記希望信号パラメータ推定部に出力することを特徴とする請求項１に記載の受信装置。
【請求項４】
前記第１の出力切替手段は、前記等化器から出力される判定値の有無に応じて前記希望信号パラメータ推定部に出力する信号を切り替えることを特徴とする請求項３に記載の受信装置。
【請求項５】
前記ディジタル信号復調部は、前記希望信号パラメータ推定部の出力と前記干渉信号パラメータ推定部の出力とがそれぞれ入力される出力制御手段を備え、
前記出力制御手段は、前記希望信号パラメータ推定部の出力に基づいて前記干渉信号パラメータ推定部の出力を前記等化器に出力するか否かを制御することを特徴とする請求項１に記載の受信装置。
【請求項６】
前記希望信号パラメータ推定部は、前記受信信号と前記レプリカ減算部とに基づいて干渉信号のレベルを推定した干渉信号レベル信号を出力する干渉信号レベル推定部をさらに備え、
前記干渉信号レベル信号が前記出力制御手段に入力されることを特徴とする請求項５に記載の受信装置。
【請求項７】
前記干渉信号パラメータ推定部は、前記等化器から出力された判定値をさらに用いて前記干渉信号に関する所定のパラメータを推定することを特徴とする請求項３に記載の受信装置。
【請求項８】
前記干渉信号パラメータ推定部は、
前記レプリカ減算部から出力された希望信号レプリカ除去信号に基づいて干渉信号伝送路推定値をブラインド推定するブラインド伝送路推定部と、
前記希望信号レプリカ除去信号と前記等化器から出力される干渉信号の判定値とに基づいて干渉信号伝送路推定値を推定する伝送路推定部と、
前記ブラインド伝送路推定部および前記伝送路推定部の各出力が入力される第２の出力切替手段と、
を備え、
前記第２の出力切替手段は、前記ブラインド伝送路推定部の出力と前記伝送路推定部の出力のいずれかを前記等化器に出力することを特徴とする請求項７に記載の受信装置。
【請求項９】
前記第２の出力切替手段は、前記等化器から出力される判定値中に含まれる干渉信号に関する情報に基づいて該等化器に出力する信号を切り替えることを特徴とする請求項８に記載の受信装置。
【発明の詳細な説明】
【技術分野】
【０００１】
本発明は、受信装置に関するものであり、特に、受信信号に含まれる干渉信号成分の除去機能を備えた受信装置に関するものである。
【背景技術】
【０００２】
ディジタル無線通信システムにおいて、同一チャネル干渉は、通信品質を劣化させる大きな要因となる。そのため、ディジタル無線通信システムにおける同一チャネル干渉対策は、重要な課題である。例えば、基地局間非同期のセルラーシステムに代表されるようなディジタル無線通信システムでは、一般に、受信機に到来する同一チャネル干渉信号と自システムの希望信号との間のフレーム同期が取られていないので、未知の同一チャネル干渉信号に対しては、何らかの干渉対策を講じなければならない。【０００３】
このような環境下において受信機側における同一チャネル干渉除去技術を開示した文献の一つに、例えば下記特許文献１がある。この特許文献１に示されている方法では、まず、自システムの希望信号にかかる伝送路推定値が既知系列を用いて推定され、一方、同一チャネル干渉信号の伝送路推定値については任意の初期値に仮設定される。つぎに、これらの伝送路推定値と受信信号とが用いられ、干渉信号の状態を考慮した系列推定処理が複数回繰り返し行われ、各伝送路の伝送路推定値を更新しながら希望信号の送信信号系列が推定されて出力される。このように、特許文献１に示される干渉除去技術は、系列推定を複数回繰り返し行うことで、伝送路の推定精度と推定される系列の確からしさとを徐々に改善し、干渉信号成分を抑圧するようにしている。【０００４】
【特許文献１】欧州特許出願公開第１４７５９３３号明細書
【発明の開示】
【発明が解決しようとする課題】
【０００５】
しかしながら、上記特許文献１に示される従来技術では、干渉信号成分を抑圧するために処理量が多い系列推定処理を複数回繰り返す必要があり、非常に大きな処理量を要するという問題点があった。【０００６】
また、上記従来技術では、干渉信号伝送路の伝送路推定に関して、希望信号と干渉信号双方が存在するなかで伝送路推定を行わなければならないため、十分な推定精度が得られず、良好な干渉除去効果が得られないという問題点があった。【０００７】
さらに、上記従来技術では、干渉信号伝送路に関する伝送路推定値の初期値を任意の初期値に仮設定し、その後の繰り返し系列推定処理のなかで徐々に精度を高めていく方法なので、推定値が十分な精度に収束せず、処理時間の制約などから十分な精度が確保されていない推定値を用いなければならず、良好な干渉除去効果が得られないという問題点があった。【０００８】
本発明は、上記に鑑みてなされたものであって、干渉信号伝送路の伝送路推定に要する処理時間の短縮化あるいは処理量（規模）の減縮化を図りつつ、良好な干渉除去効果を確保可能な受信装置を提供することを目的とする。
【課題を解決するための手段】
【０００９】
上述した課題を解決し、目的を達成するため、本発明にかかる受信装置は、Ｍ（Ｍは１以上の整数）多重信号を受信するＮ（Ｎは１以上の整数）個のアンテナからの各受信信号をそれぞれダウンコンバートしたアナログ信号をディジタル信号に変換するアナログ信号処理部と、該アナログ信号処理部から出力されたディジタル信号を復調するディジタル信号復調部と、を備えた受信装置において、前記ディジタル信号復調部は、前記ディジタル信号と先見情報である既知信号とに基づいて希望信号に関する所定のパラメータを推定する希望信号パラメータ推定部と、前記希望信号パラメータ推定部の出力信号に基づいて干渉信号に関する所定のパラメータを推定する干渉信号パラメータ推定部と、前記希望信号パラメータ推定部の出力および／または前記干渉信号パラメータ推定部の出力に基づいて前記受信信号に対して行った等化処理出力を復調データとして出力する等化器と、を備え、前記希望信号パラメータ推定部は、前記希望信号に関する所定のパラメータの一つとして該希望信号の伝送路推定値を出力する希望信号伝送路推定部と、前記希望信号の伝送路推定値と前記既知信号とに基づいて前記希望信号のレプリカ信号を生成するレプリカ生成部と、前記受信信号から前記希望信号のレプリカ信号を減算した減算出力を希望信号レプリカ除去信号として出力するレプリカ減算部と、を備えたことを特徴とする。【００１０】
この発明によれば、受信信号と先見情報である既知信号とに基づいて希望信号に関する所定のパラメータを推定する手段としてのレプリカ減算部、レプリカ減算部および希望信号伝送路推定部の各部を備えた希望信号パラメータ推定部は、希望信号伝送路推定部の出力を希望信号伝送路推定値として出力するとともに、受信信号から希望信号のレプリカ信号を減算した減算出力を希望信号レプリカ除去信号として出力する。
【発明の効果】
【００１１】
本発明にかかる受信装置によれば、希望信号のレプリカを減算した減算出力を利用して干渉信号の伝送路推定を行うようにしているので、干渉信号の伝送路推定を行う際に希望信号の影響を受けることなく精度良く推定することができ、干渉の影響を抑圧した良好な通信を提供することができるという効果を奏する。
【図面の簡単な説明】
【００１２】
【図１】図１は、本発明の実施の形態１〜５にかかる受信装置の全体構成を示すブロック図である。
【図２】図２は、本発明の実施の形態１にかかるディジタル信号復調部の構成を示すブロック図である。
【図３】図３は、図２に示した実施の形態１にかかる希望信号パラメータ推定部の構成を示すブロック図である。
【図４】図４は、本発明の実施の形態２にかかるディジタル信号復調部の構成を示すブロック図である。
【図５】図５は、図４に示した実施の形態２にかかる希望信号パラメータ推定部の構成を示すブロック図である。
【図６】図６は、本発明の実施の形態３にかかるディジタル信号復調部の構成を示すブロック図である。
【図７】図７は、本発明の実施の形態４にかかるディジタル信号復調部の構成を示すブロック図である。
【図８】図８は、図７に示した実施の形態４にかかる希望信号パラメータ推定部の構成を示すブロック図である。
【図９】図９は、本発明の実施の形態５にかかるディジタル信号復調部の構成を示すブロック図である。
【図１０】図１０は、図９に示した実施の形態５にかかる干渉信号パラメータ推定部の構成を示すブロック図である。
【図１１】図１１は、本発明の実施の形態６にかかる受信装置の全体構成を示すブロック図である。
【図１２】図１２は、図１１に示した実施の形態６にかかるディジタル信号復調部の構成を示すブロック図である。
【図１３】図１３は、図１２に示した実施の形態６にかかる希望信号パラメータ推定部の構成を示すブロック図である。
【符号の説明】
【００１３】
１０１，１１０１  アンテナ
１０２，１１０２  アナログ信号処理部
１０３，１０３ａ，１０３ｂ，１０３ｃ，１０３ｄ，１０３ｅ，１１０３  ディジタル信号復調部
２０１，１２０１  既知信号格納メモリ
２０２，４０１，７０１，１２０２  希望信号パラメータ推定部
２０３，９０１，１２０３  干渉信号パラメータ推定部
２０４，９０２，１２０４  等化器
３０１，１３０１  レプリカ減算部
３０２，１３０２  レプリカ生成部
３０３，５０１，１３０３  希望信号伝送路推定部
６０１，７０２，１００１，１００４  切替器
８０１  干渉信号レベル推定部
１００２  ブラインド伝送路推定部
１００３  伝送路推定部
【発明を実施するための最良の形態】
【００１４】
以下に、本発明にかかる受信装置の実施の形態を図面に基づいて詳細に説明する。なお、この実施の形態により本発明が限定されるものではない。【００１５】
実施の形態１．
図１は、本発明の実施の形態１〜５にかかる受信装置の全体構成を示すブロック図である。また、図２は、図１に示すディジタル信号復調部１０３の一構成例を示すものであり、本発明の実施の形態１にかかるディジタル信号復調部１０３ａの構成を示すブロック図である。さらに、図３は、図２に示す希望信号パラメータ推定部２０２の一構成例を示すものであり、本発明の実施の形態１にかかる希望信号パラメータ推定部２０２の構成を示すブロック図である。【００１６】
ここで、実施の形態１にかかる受信装置の構成について説明する。図１において、本発明の実施の形態１にかかる受信装置は、アンテナ（受信アンテナ）１０１、アナログ信号処理部１０２およびディジタル信号復調部１０３を備えている。また、図２において、図１に示したディジタル信号復調部１０３ａは、既知信号格納メモリ２０１、希望信号パラメータ推定部２０２、干渉信号パラメータ推定部２０３および等化器２０４を備えている。さらに、図３において、図２に示した希望信号パラメータ推定部２０２は、レプリカ減算部３０１、レプリカ生成部３０２および希望信号伝送路推定部３０３を備えている。【００１７】
つぎに、実施の形態１にかかる受信装置の動作について、まず、図１および図２を用いて説明する。図１において、アンテナ１０１で受信した信号（受信信号）は、アナログ信号処理部１０２にて高周波アナログ信号をベースバンド信号にダウンコンバートする処理と、アナログ信号をディジタル信号に変換する処理とが行われる。アナログ信号処理部１０２にて変換されたディジタル信号は、実施の形態１の発明の中核をなすディジタル信号復調部１０３に出力される。【００１８】
図２において、アナログ信号処理部１０２から出力されたディジタル信号（受信信号）は、希望信号パラメータ推定部２０２および等化器２０４に出力される。希望信号パラメータ推定部２０２では、アナログ信号処理部１０２から出力されたディジタル信号（受信信号）と、既知信号格納メモリ２０１に予め保持されている既知信号とに基づいて希望信号に関する伝送路推定値などを含む所定のパラメータ（例えば、伝送路推定値に加えて、希望信号のタイミングや受信電力などの推定情報）が推定される。【００１９】
また、干渉信号パラメータ推定部２０３では、希望信号パラメータ推定部２０２から出力された伝送路推定値などの出力情報に基づいて干渉信号に関する所定のパラメータ（希望信号と同様に、例えば、伝送路推定値や受信電力などの推定情報）が推定される。ここで、干渉信号パラメータ推定部２０３の処理手法としては、例えば、従来から広く知られている任意のブラインド推定法を適用することができる。【００２０】
さらに、等化器２０４では、アナログ信号処理部１０２から出力されたディジタル信号（受信信号）と希望信号パラメータ推定部２０２から出力された希望信号に関する所定のパラメータと干渉信号パラメータ推定部２０３から出力された干渉信号に関する所定のパラメータとに基づいて、希望信号や干渉信号の状態を考慮した等化処理が施され、受信信号の復調データが出力される。ここで、等化器２０４の処理手法としては、例えば、既に公知の技術である最尤系列推定などを適用することができる。【００２１】
ところで、等化器２０４の出力データである復調データには、干渉の強弱の程度や伝送路などの条件に依存した希望信号や干渉信号に関する情報が含まれており、本発明の幾つかの実施の形態では、等化器２０４の出力をフィードバックさせて希望信号や干渉信号に関するパラメータ推定を行う場合がある。したがって、これ以降の説明において、等化器２０４の出力（復調データ）を「判定値」と呼称して説明する。【００２２】
つぎに、図３に示した希望信号パラメータ推定部２０２の動作について説明する。同図において、希望信号パラメータ推定部２０２への入力信号である受信信号は、レプリカ減算部３０１と希望信号伝送路推定部３０３とに入力される。同様に、希望信号パラメータ推定部２０２への入力信号である既知信号は、レプリカ生成部３０２と希望信号伝送路推定部３０３とに入力される。希望信号伝送路推定部３０３では、これらの２つの入力信号に基づいて、例えば、従来から広く用いられている最小二乗法などの手法を適用して希望信号の伝送路推定処理が行われる。このとき推定された希望信号の伝送路推定値（以下「希望信号伝送路推定値」という）は、レプリカ生成部３０２に伝達されるとともに、図２に示した等化器２０４に出力される。一方、レプリカ生成部３０２では、既知信号と希望信号伝送路推定値とを用いて希望信号のレプリカが生成される。レプリカ減算部３０１では、受信信号からレプリカ生成部３０２で生成された希望信号のレプリカを減算する処理が行われ、希望信号のレプリカ除去後の信号が図２に示した干渉信号パラメータ推定部２０３に出力される。【００２３】
上述のように構成した受信装置によれば、以下に示すような利点が生ずる。すなわち、この実施の形態の受信装置では、希望信号のレプリカを減算した信号から干渉信号の伝送路推定を行うようにしているので、干渉信号の伝送路推定を希望信号の影響を受けることなく精度良く推定することができ、後段の等化器において高精度な等化処理が可能となり、その結果、干渉の影響が抑圧された良好な通信を提供することができる。また、干渉信号のパラメータ推定を等化処理と分離して行うようにしているので、従来技術のような繰り返し系列推定が不要であり、より少ない演算量で良好な通信を提供することが可能になる。【００２４】
以上説明したように、この実施の形態の受信装置によれば、受信信号と先見情報である既知信号とに基づいて希望信号に関する所定のパラメータを推定する手段として、レプリカ減算部、レプリカ減算部および希望信号伝送路推定部を備えるように構成するとともに、これらの構成部によって、受信信号から希望信号のレプリカ信号を減算した減算出力を希望信号レプリカ除去信号として出力するようにしているので、干渉信号の伝送路推定を希望信号の影響を受けることなく精度良く推定することができ、干渉の影響を抑圧した良好な通信を提供することができる。また、上述の構成部の処理において、干渉信号のパラメータ推定を等化処理と分離して行うようにしているので、繰り返し系列推定が不要となり、より少ない演算量で良好な通信を提供することができる。【００２５】
なお、この実施の形態の受信装置では、希望信号パラメータ推定部２０２に入力される既知信号が、図２に示すように既知信号格納メモリから提供されるものとして説明したが、メモリに予め保持させることなく、例えば既知信号発生回路などを別に設けて必要なタイミングでその都度発生させるような構成を採用してもよい。【００２６】
また、希望信号パラメータ推定部２０２および干渉信号パラメータ推定部２０３は、本実施の形態で説明した、希望信号および干渉信号の伝送路推定値を出力する構成部以外にも信号レベル検出回路や、タイミング検出回路等の他の構成要素を含んだものも本発明に含まれることは言うまでもないことである。【００２７】
実施の形態２．
図４は、本発明の実施の形態２にかかるディジタル信号復調部１０３ｂの構成を示すブロック図であり、図５は、図４に示した実施の形態２にかかる希望信号パラメータ推定部４０１の構成を示すブロック図である。実施の形態１との相違点は、図４および図５に示すように、干渉信号パラメータ推定部２０３の出力が希望信号パラメータ推定部４０１に出力されるようなフィードバック処理を付加している点にある。なお、その他、各部の構成については実施の形態１の構成と同一あるいは同等であり、これらの部分には、同一符号を付して示している。【００２８】
つぎに、図４に示したディジタル信号復調部１０３ｂの動作について図４および図５を用いて説明する。まず、図５において、希望信号伝送路推定部５０１では、受信信号、既知信号に干渉信号の伝送路推定値（以下「干渉信号伝送路推定値」という）を加えた少なくとも３つの出力情報に基づいて希望信号の伝送路推定が行われる。レプリカ生成部３０２では、既知信号と希望信号伝送路推定値とに基づいて希望信号のレプリカが生成され、生成された希望信号のレプリカがレプリカ減算部３０１へ出力される。レプリカ減算部３０１では、受信信号から希望信号のレプリカを減算する処理が行われ、希望信号のレプリカ除去後の信号が干渉信号パラメータ推定部２０３に出力される。【００２９】
図４において、干渉信号パラメータ推定部２０３では、従来から広く知られた手法（例えばブラインド推定）が用いられ、希望信号パラメータ推定部４０１から出力された希望信号のレプリカ除去後の信号に基づいて干渉信号の伝送路推定値等が推定され、等化器２０４および希望信号パラメータ推定部４０１へ出力される。希望信号パラメータ推定部４０１では、干渉信号パラメータ推定部２０３から出力された干渉信号伝送路推定値に基づいて希望信号のパラメータ推定が繰り返し行われる。【００３０】
このように、この実施の形態では、希望信号パラメータ推定部４０１で用いられる干渉信号伝送路推定値として、初回の処理では、例えば“０”のような予め定めておいた初期値を入力しておく一方で、２回目以降の処理では、干渉信号パラメータ推定部２０３から出力される干渉信号伝送路推定値が入力されるような構成が採用されているので、より高精度なパラメータ推定が可能となり、その結果、後段の等化器でより良好な干渉除去効果を得ることができる。【００３１】
以上説明したように、この実施の形態の受信装置によれば、受信信号、先見情報である既知信号および干渉信号伝送路推定値出力情報に基づいて希望信号伝送路推定値や干渉信号伝送路推定値などの所定のパラメータを推定するようにしているので、高精度なパラメータ推定が可能となり、より良好な干渉除去効果を得ることができる。【００３２】
実施の形態３．
図６は、本発明の実施の形態３にかかるディジタル信号復調部１０３ｃの構成を示すブロック図である。同図に示すディジタル信号復調部１０３ｃは、実施の形態１の構成において、既知信号格納メモリ２０１が出力する既知信号と等化器２０４が出力する判定値とが入力され、これらの入力信号のいずれか一つを希望信号パラメータ推定部２０２に出力する出力切替手段（第１の出力切替手段）としての切替器６０１を備えるように構成されている。なお、その他の構成については、実施の形態１の構成と同一あるいは同等であり、これらの部分には、同一符号を付して示している。【００３３】
つぎに、図６に示したディジタル信号復調部１０３ｃの動作について説明する。同図において、切替器６０１は、希望信号の既知信号部分に対する処理タイミングでは既知信号格納メモリ２０１から出力される既知信号を希望信号パラメータ推定部２０２へ出力し、等化器２０４による判定値が得られた後は等化器２０４からの判定値を出力する。このようにして、希望信号パラメータ推定部２０２では、等化器２０４による判定値が得られた以降、等化器２０４からの判定値に基づいて希望信号のパラメータ推定が実行されることになる。【００３４】
このように、この実施の形態では、希望信号のパラメータ推定および干渉信号のパラメータ推定を行う際に、等化器２０４から出力される判定値の有無に応じて希望信号パラメータ推定部２０２への出力を切り替えるようにしているので、伝送路変動に追従した高精度な伝送路推定が可能となり、より高い干渉抑圧効果を得ることができる。【００３５】
以上説明したように、この実施の形態の受信装置によれば、希望信号の既知系列部分や復調データに基づいて希望信号伝送路推定値や干渉信号伝送路推定値などの所定のパラメータを推定するようにしているので、伝送路変動に追従した高精度な伝送路推定が可能となり、より高い干渉抑圧効果を得ることができる。【００３６】
なお、この実施の形態では、出力切替手段を用いて既知信号または判定値のいずれか一つを希望信号パラメータ推定部に出力する構成を実施の形態１の構成に適用する例について説明したが、これらの構成を実施の形態２の構成に適用することもでき、実施の形態２と同様な効果をも得ることができる。【００３７】
実施の形態４．
図７は、本発明の実施の形態４にかかるディジタル信号復調部１０３ｄの構成を示すブロック図であり、図８は、図７に示した実施の形態４にかかる希望信号パラメータ推定部７０１の構成を示すブロック図である。これらのディジタル信号復調部１０３ｄおよび希望信号パラメータ推定部７０１は、実施の形態１の構成を発展させたものとして、つぎのように構成されている。【００３８】
すなわち、図７に示すディジタル信号復調部１０３ｄは、図２に示した実施の形態１にかかるディジタル信号復調部１０３ａの構成において、希望信号パラメータ推定部７０１の出力と干渉信号パラメータ推定部２０３の出力とが入力され、干渉信号パラメータ推定部２０３からの出力を等化器２０４に出力するか否かを制御する出力制御手段としての切替器７０２を備えている。また、図８に示す希望信号パラメータ推定部７０１は、図３に示した実施の形態１にかかる希望信号パラメータ推定部２０２の構成において、干渉信号のレベルを推定して出力する干渉信号レベル推定部８０１をさらに備えるように構成されている。なお、ここで示した以外の構成については、実施の形態１の構成と同一あるいは同等であり、これらの部分には同一符号を付して示している。【００３９】
つぎに、図７に示したディジタル信号復調部１０３ｄの動作について図７および図８を用いて説明する。まず、図８において、希望信号伝送路推定部３０３では、受信信号と既知信号に基づいて希望信号の伝送路推定が行われる。なお、希望信号の伝送路推定として、例えば最小二乗法などを適用することができる。推定された希望信号伝送路推定値は、レプリカ生成部３０２へ出力されるとともに、図７に示す等化器２０４に出力される。レプリカ生成部３０２では、既知信号と希望信号伝送路推定値とに基づいて希望信号のレプリカが生成され、レプリカ減算部３０１へ出力される。レプリカ減算部３０１では、受信信号から希望信号のレプリカを減算する処理が行われ、その出力が干渉信号レベル推定部８０１に出力されるとともに、干渉信号パラメータ推定部２０３にも出力される。干渉信号レベル推定部８０１では、希望信号のレプリカ減算前の受信信号と希望信号のレプリカ減算後の出力信号とに基づいて干渉信号のレベルが測定され、干渉信号レベル信号として図７に示す切替器７０２に出力される。【００４０】
ここで、干渉信号レベル信号としては、受信機に到来している同一チャネル干渉信号の強弱を示す指標が含まれていればよく、例えば、平均信号電力対干渉電力比や、平均干渉信号電力などを用いることができる。【００４１】
また、図７において、干渉信号パラメータ推定部２０３では、例えばブラインド推定などの手法が適用され、希望信号パラメータ推定部７０１から出力された希望信号のレプリカ除去後の信号に基づいて干渉信号伝送路推定値等のパラメータが推定され、切替器７０２に出力される。切替器７０２では、希望信号パラメータ推定部７０１から出力された干渉信号レベル信号と干渉信号パラメータ推定部２０３から出力された干渉信号伝送路推定値とが入力され、干渉信号伝送路推定値を等化器２０４に出力するか否かが制御される。【００４２】
ここで、切替器７０２には、その内部に干渉信号レベルに関する所定のしきい値（「しきい値ａ」とする）が保持されており、例えば干渉信号レベル信号がしきい値ａを超える場合のみ干渉信号パラメータ推定部２０３からの出力である、例えば干渉信号伝送路推定値が等化器２０４に出力される。つまり、切替器７０２は、希望信号パラメータ推定部７０１の出力に基づいて干渉信号パラメータ推定部２０３の出力を等化器２０４に出力するか否かを制御するように動作する。等化器２０４では、受信信号と希望信号パラメータ推定部７０１からの出力と切替器７０２の出力とに基づいて干渉信号の状態を考慮した等化処理が行われ、判定値が出力される。なお、上述したことから明らかなように、切替器７０２において、干渉信号レベル信号がしきい値ａを下回ると判断された場合には、干渉信号の伝送路推定値が等化器２０４に出力されず、等化器２０４では干渉信号を考慮しない等化処理が行われる。【００４３】
以上説明したように、この実施の形態の受信装置によれば、出力制御手段である切替器が、希望信号パラメータ推定部の出力である干渉信号レベル信号に基づいて干渉信号パラメータ推定部の出力を等化器に出力するか否かを制御するようにしているので、干渉信号レベルが小さい場合における干渉信号伝送路推定値に関する推定誤差の影響を排除することができ、良好な通信を提供することが可能となる。【００４４】
なお、この実施の形態では、希望信号パラメータ推定部の出力である干渉信号レベル信号に基づいて干渉信号パラメータ推定部の出力を等化器に出力するか否かを制御する構成を実施の形態１の構成に適用する例について説明したが、これらの構成を実施の形態２，３の構成に適用することもでき、実施の形態２，３と同様な効果をも得ることができる。【００４５】
また、例えば、干渉信号のパラメータ推定を行う前に、切替器７０２における干渉信号レベル信号のしきい値判定と同様な判定を行い、その結果をトリガとして干渉信号パラメータ推定部２０３を動作させるような構成としてもよい。また、等化器２０４自身にしきい値判定機能を持たせ、干渉信号の状態を考慮するか無視するかを切り替えるような構成としてもよい。さらに、干渉信号レベル信号のしきい値ａについても、切替器７０２内部で保持する形式ではなく、外部から入力するような構成としてもよい。さらには、しきい値ａは固定値である必要はなく、外部からの可変パラメータとして入力するような構成としてもよい。【００４６】
実施の形態５．
図９は、本発明の実施の形態５にかかるディジタル信号復調部１０３ｅの構成を示すブロック図であり、図１０は、図９に示した実施の形態５にかかる干渉信号パラメータ推定部９０１の構成を示すブロック図である。これらのディジタル信号復調部１０３ｅおよび干渉信号パラメータ推定部９０１は、実施の形態３の構成を発展させたものとして、つぎのように構成されている。【００４７】
すなわち、図９に示すディジタル信号復調部１０３ｅは、図６に示した実施の形態３にかかるディジタル信号復調部１０３ｃの構成において、等化器９０２の出力（干渉信号の判定値）が干渉信号パラメータ推定部９０１に出力されるようなフィードバック処理が付加されている。なお、その他の構成については実施の形態３の構成と同一あるいは同等であり、これらの部分には同一符号を付して示している。【００４８】
また、図１０に示す干渉信号パラメータ推定部９０１は、希望信号のレプリカ除去後の信号が入力される切替器１００１と、切替器１００１にそれぞれ接続されるブラインド伝送路推定部１００２および伝送路推定部１００３と、ブラインド伝送路推定部１００２および伝送路推定部１００３からそれぞれ出力された出力信号のいずれかを干渉信号パラメータ推定部９０１の出力として切替制御する出力切替手段（第２の出力切替手段）としての切替器１００４と、を備えるように構成されている。なお、伝送路推定部１００３には、等化器９０２からのフィードバック出力である干渉信号の判定値が入力される。【００４９】
つぎに、図９に示したディジタル信号復調部１０３ｅの動作について図９および図１０を用いて説明する。まず、図１０において、希望信号パラメータ推定部２０２から出力された希望信号のレプリカ除去後の信号が切替器１００１に入力され、切替器１００１は、希望信号の既知信号部分の処理タイミングではブラインド伝送路推定部１００２へ出力し、その他のタイミングでは伝送路推定部１００３へ出力する。ブラインド伝送路推定部１００２では、公知のブラインド推定手法を用いた干渉信号の伝送路推定が行われ、その推定結果が切替器１００４に出力される。一方、伝送路推定部１００３では、切替器１００１からの出力信号と等化器９０２から出力された干渉信号の判定値に基づいて、従来から広く知られている最小二乗法のような手法を用いて干渉信号の伝送路推定が行われ、その推定結果が切替器１００４へ出力される。なお、切替器１００４は、切替器１００１と連動して動作する。すなわち、希望信号の既知信号部分を処理するタイミングではブラインド伝送路推定部１００２からの信号が出力され、その他のタイミングでは伝送路推定部１００３からの信号が出力される。このようにして、切替器１００４からの出力信号が、干渉信号伝送路推定値として等化器９０２へ出力される。【００５０】
また、図９において、等化器９０２は、等化処理の結果として、希望信号の判定値に加えて、等化処理中に考慮した干渉信号の判定値をも出力する。なお、等化器９０２として、干渉信号の状態を考慮した等化処理を行うことができる任意の等化器を適用することが可能である。また、等化器９０２の出力である判定値は、干渉信号パラメータ推定部９０１に出力され、既に説明したように、希望信号の既知信号部分以外のタイミングにおいて干渉信号の伝送路推定に用いられる。【００５１】
以上説明したように、この実施の形態の受信装置によれば、希望信号の判定値および干渉信号の判定値の両者をフィードバックするように構成しているので、希望信号の既知信号部分以外のタイミングでも希望信号と干渉信号の伝送路推定を継続して行うことができ、より高精度な伝送路推定を行うことができ、その結果、良好な干渉除去特性を得ることができる。【００５２】
なお、この実施の形態では、干渉信号の判定値をフィードバックする構成を実施の形態３の構成に適用する例について説明したが、これらの構成を実施の形態１、２または４の構成に適用することもでき、これらの実施の形態と同様な効果をも得ることができる。【００５３】
また、この実施の形態では、希望信号のレプリカ除去後の信号をブラインド伝送路推定部１００２または伝送路推定部１００３のいずれかに出力する際に切替器１００１を用いて切り替えるようにしているが、切替器１００４が等化器９０２に対する出力制御の機能を有しているので、切替器１００１を用いることなく、希望信号のレプリカ除去後の信号をブラインド伝送路推定部１００２および伝送路推定部１００３の両者に直接入力するような構成としてもよい。【００５４】
実施の形態６．
図１１は、本発明の実施の形態６にかかる受信装置の全体構成を示すブロック図である。同図に示す受信装置は、Ｎ（Ｎは１以上の整数）個のアンテナ（受信アンテナ）１１０１−１〜１１０１−Ｎ、Ｎ個のアナログ信号処理部１１０２−１〜１１０２−Ｎおよびディジタル信号復調部１１０３を備えるように構成されている。ここで、この実施の形態の受信装置の特徴は、Ｎ個の受信アンテナで受信した信号をディジタル信号復調部に伝達し、干渉信号の状態を考慮した等化処理を行う点にある。【００５５】
また、Ｎ個のアンテナに到来する信号は、いわゆるＭＩＭＯ（Ｍｕｌｔｉｐｌｅ  Ｉｎｐｕｔ  Ｍｕｌｔｉｐｌｅ  Ｏｕｔｐｕｔ）伝送のように、図示しない送信機側において複数のアンテナから同時に多重送信された信号でもよい。なお、以下の説明では、希望信号および干渉信号は、送信機側においてＭ（Ｍは１以上の整数）個のアンテナから略同時に送信されたＭ多重信号であり、それらのＭ多重信号が受信装置のアンテナ１１０１−１〜１１０１−Ｎに到来している場合を例に挙げて説明する。【００５６】
つぎに、実施の形態６にかかるディジタル信号復調部および希望信号パラメータ推定部の構成について図１１および図１２を用いて説明する。なお、図１２は、図１１に示した実施の形態６にかかるディジタル信号復調部１１０３の構成を示すブロック図であり、図１３は、図１２に示した実施の形態６にかかる希望信号パラメータ推定部１２０２の構成を示すブロック図である。【００５７】
まず、図１２に示すディジタル信号復調部１１０３は、既知信号格納メモリ１２０１、希望信号パラメータ推定部１２０２、干渉信号パラメータ推定部１２０３および等化器１２０４を備えるように構成され、その接続構成は図２に示した実施の形態１にかかるディジタル信号復調部１０３ａと同一あるいは同等である。ただし、希望信号パラメータ推定部１２０２および等化器１２０４には、Ｎ系統受信信号が入力されるので、このＮ系統受信信号を処理するための機能を有している。【００５８】
また、図１３に示す希望信号パラメータ推定部１２０２は、レプリカ減算部１３０１、レプリカ生成部１３０２および希望信号伝送路推定部１３０３を備えるように構成され、その接続構成は図３に示した実施の形態１にかかる希望信号パラメータ推定部２０２と同一あるいは同等である。また、ディジタル信号復調部１１０３と同様に、Ｎ系統受信信号を処理するための機能を有している。【００５９】
つぎに、図１２に示したディジタル信号復調部１１０３の動作について図１２および図１３を用いて説明する。まず、図１３において、希望信号伝送路推定部１３０３では、Ｎ系統受信信号と既知信号とに基づいて希望信号の伝送路推定が行われる。なお、Ｍ多重信号をＮ個のアンテナ１１０１−１〜１１０１−Ｎを用いて受信した場合、希望信号の伝送路はＭ×Ｎ通り存在するため、その全てを推定する必要があるが、この処理は、既知信号として例えば直交符号を用いる手法を採用することで実行可能である。レプリカ生成部１３０２では、希望信号伝送路推定部１３０３から出力された希望信号伝送路推定値と入力された既知信号とに基づいてＮ系統受信信号のそれぞれに対応するＮ通りのレプリカが生成されレプリカ減算部１３０１に出力される。レプリカ減算部１３０１では、入力されたＮ系統受信信号からレプリカ生成部１３０２で生成されたＮ通りのレプリカを減算する処理が行われる。これらの処理の結果、希望信号伝送路推定値が図１２に示した等化器１２０４に出力されるとともに、希望信号のレプリカ除去後のＮ系統信号が図１２に示した干渉信号パラメータ推定部１２０３に出力される。【００６０】
また、図１２において、干渉信号パラメータ推定部１２０３では、従来から広く知られた手法（例えばブラインド推定）を用いて、希望信号のレプリカ除去後のＮ系統信号に基づいて干渉信号の伝送路推定値等が推定され、等化器１２０４へ出力される。等化器１２０４では、Ｎ系統受信信号と希望信号伝送路推定値と干渉信号伝送路推定値とに基づいて干渉信号の状態を考慮した復調処理が行われる。【００６１】
以上説明したように、この実施の形態の受信装置によれば、送信機側から送信されたＭ多重信号をＮ個のアンテナを用いて受信する場合であっても、実施の形態１と同様の効果を得ることができる。【００６２】
なお、この実施の形態の受信装置では、送信されたＭ多重信号をＮ個のアンテナを用いて受信する構成を実施の形態１にかかるディジタル信号復調部の構成に適用する例について説明したが、これらの構成を実施の形態２〜５にかかるディジタル信号復調部の構成に適用することもでき、これらの実施の形態と同様な効果をも得ることができる。【００６３】
また、この実施の形態の受信装置では、Ｎ個のアンテナに接続されるＮ個のアナログ信号処理部の各出力が合成されたＮ系統の受信信号を処理する単一のディジタル信号復調部を備えるように構成しているが、ディジタル信号復調部を受信アンテナごとに用意し、各ディジタル信号復調部から出力された復調データをそれぞれ合成するような構成とすることもできる。
【産業上の利用可能性】
【００６４】
以上のように、本発明にかかる受信装置は、干渉信号による同一チャネル干渉が問題となるような移動体通信環境下に適用可能な受信装置として有用である。
【図１】
2006092830.tif 000002
【図２】
2006092830.tif 000003
【図３】
2006092830.tif 000004
【図４】
2006092830.tif 000005
【図５】
2006092830.tif 000006
【図６】
2006092830.tif 000007
【図７】
2006092830.tif 000008
【図８】
2006092830.tif 000009
【図９】
2006092830.tif 000010
【図１０】
2006092830.tif 000011
【図１１】
2006092830.tif 000012
【図１２】
2006092830.tif 000013
【図１３】
2006092830.tif 000014
【国際調査報告】
2006092830.tif 000015
2006092830.tif 000016
2006092830.tif 000017
2006092830.tif 000018